(57)【要約】【課題】ユーザ自身が直接水抜き作業を行う必要がなく、簡単に温水タンクの水抜きを行うことのできる温水洗浄便座装置を提供する。【解決手段】温水洗浄便座装置１０は、排水配管５０と、この水路を開閉する電磁弁５２を備える排水配管開閉部５１と、を有しており、この電磁弁５２の構成をノーマルオープンとしている。したがって、温水洗浄便座装置１０は、日常的な使用状況では、電磁弁５２が閉鎖状態となっており、温水タンク２４に残った水が排水配管５３を介して排出されることはないが、電源が切られると電磁弁５２が開放状態となるので、温水タンク２４に残った水が排水配管５３を介して排出される。【選択図】図５
2014015725.tif 000002
【特許請求の範囲】
【請求項１】
ノズルから洗浄水を噴出して便座に座るユーザの局部を洗浄するための温水洗浄便座装置であって、
前記洗浄水を加熱可能な加熱手段を有する温水タンクと、
前記洗浄水を供給する供給管と接続するとともに、前記洗浄水を前記温水タンクへ送る上流側給水配管と、
前記温水タンクと接続するとともに、前記洗浄水を前記ノズルへ送る下流側給水配管と、
前記上流側給水配管の水路を開閉する給水配管開閉手段を備えた給水配管開閉部と、
前記給水配管開閉部よりも下流側で、前記上流側給水配管または前記下流側給水配管と接続するとともに、前記温水タンク内の洗浄水を排出する排水配管と、
電圧が印加された状態では、前記排水配管の水路を閉鎖状態とし、電圧が印加されていない状態では、前記排水配管の水路を開放状態とする、排水配管開閉部と、
を備えていることを特徴とする温水洗浄便座装置。
【請求項２】
前記排水配管から排出される水を、前記便座側へ導く排水用通路を備えていることを特徴とする請求項１に記載の温水洗浄便座装置。
【請求項３】
前記温水タンクと、前記ノズルと、前記上流側給水配管と、前記下流側給水配管と、前記給水配管開閉部と、前記排水配管と、前記排水配管開閉部と、を収納する本体容器を備え、
前記排水用通路は、前記本体容器の底部に形成されていることを特徴とする請求項２に記載の温水洗浄便座装置。
【請求項４】
前記排水配管は、前記上流側給水配管と接続していることを特徴とする請求項１から３の何れか１項に記載の温水洗浄便座装置。
【請求項５】
前記上流側給水配管には、前記排水配管との接続部よりも上流側に逆止弁が取り付けられていることを特徴とする請求項４に記載の温水洗浄便座装置。
【発明の詳細な説明】
【技術分野】
【０００１】
本発明は、局部を洗浄するための洗浄水を噴出し、便座に着座した使用者の局部を洗浄する温水洗浄便座装置に関する。
【背景技術】
【０００２】
近年、家庭内や公共施設に設置されている多くのトイレには、便座に着座した使用者の局部を、ノズルから噴出する洗浄水で洗浄する温水洗浄便座装置が取り付けられている。この温水洗浄便座装置は、通常洗浄水を加熱するための温水タンクを備えている。
【０００３】
この洗浄水を加熱する温水タンク内に、洗浄水の水が残ったままで長時間放置される冬場等に水が凍結し、温水タンクを破裂させたりする虞がある。したがって、温水洗浄便座装置では通常、ユーザが温水タンクの水抜きを行わなければならない。
【０００４】
温水洗浄便座装置におけるこの水抜きの構造は、例えば特許文献１に記載されているものが知られている。具体的には、特許文献１に記載の水抜き構造は、温水タンクの側面に水抜き用の穴を設けておき、この水抜き用の穴を排水栓により封止しておく構成である。そして、温水洗浄便座装置は、水抜きを行う場合に、ユーザが排水栓を抜き取ることで、温水タンク内の水を取り出すことができる。
【先行技術文献】
【特許文献】
【０００５】
【特許文献１】特開平８−９３０３２号公報
【発明の概要】
【発明が解決しようとする課題】
【０００６】
しかしながら、特許文献１に記載されているような温水洗浄便座装置は、ユーザ自身が排水栓を抜き取る必要がある。つまり、ユーザ自身が直接水抜き作業を行わなければならない。したがって、このような温水洗浄便座装置においては、ユーザが水抜き作業に煩わしさを感じてしまい水抜き作業を行わなかったり、水抜き作業を忘れてしまったりする、という問題がある。
【０００７】
そこで、本発明は、ユーザ自身が直接水抜き作業を行う必要がなく、簡単に温水タンクの水抜きを行うことのできる温水洗浄便座装置を提供することを目的とする。
【課題を解決するための手段】
【０００８】
前記課題を解決するため、本発明の第１の態様は、ノズルから洗浄水を噴出して便座に座るユーザの局部を洗浄するための温水洗浄便座装置であって、前記洗浄水を加熱可能な加熱手段を有する温水タンクと、前記洗浄水を供給する供給管と接続するとともに、前記洗浄水を前記温水タンクへ送る上流側給水配管と、前記温水タンクと接続するとともに、前記洗浄水を前記ノズルへ送る下流側給水配管と、前記上流側給水配管の水路を開閉する給水配管開閉手段を備えた給水配管開閉部と、前記給水配管開閉部よりも下流側で、前記上流側給水配管または前記下流側給水配管と接続するとともに、前記温水タンク内の洗浄水を排出する排水配管と、電圧が印加された状態では、前記排水配管の水路を閉鎖状態とし、電圧が印加されていない状態では、前記排水配管の水路を開放状態とする、排水配管開閉部と、を備えていることを特徴とする。
【０００９】
本発明の第１の態様によれば、温水洗浄便座装置は、上流側給水配管または下流側給水
配管と接続する排水配管と、この排水配管の水路を開閉する排水配管開閉手段を備える排水配管開閉部と、を有しており、排水配管開閉部は、電圧が印加された状態では、排水配管の水路を閉鎖状態とし、電圧が印加されていない状態では、排水配管の水路を開放状態とするよう構成されている。
【００１０】
したがって、温水洗浄便座装置を日常使用しているような状況では、温水洗浄便座は電源と接続状態にあるので、排水配管開閉部に電圧が印加された状態にあり、この場合排水配管開閉部は水路を閉鎖状態としているので、温水タンクに残った水が排水配管を介して排出されることはない。
【００１１】
一方、温水洗浄便座装置が電源と非接続の状態になると、排水配管開閉部に電圧が印加されていない状態になるので、この場合排水配管開閉部は水路を開放状態にするので、温水タンクに残った水が排水配管を介して排出されることになる。
【００１２】
よって、温水洗浄便座装置は、長期間使用しないような場合であっても、従来行われていたような排水配管を塞いでいる排水栓を抜き取る、というような煩わしい作業をユーザが行う必要がなく、温水タンクの水抜き作業をユーザが意識することなく、水抜き作業を行うことができる。
【００１３】
また、本発明の第２の態様は、第１の態様に係る温水洗浄便座装置であって、前記排水配管から排出される水を、前記便座側へ導く排水用通路を備えていることを特徴とする。
【００１４】
本発明の第２の態様によれば、温水洗浄便座装置は、便器に取り付けた状態において、排水配管から排出される水が排水用通路を通って便器に流れることになるので、わざわざ排水配管から排出される水を別の容器等で受けることなく処理することができる。
【００１５】
また、本発明の第３の態様は、第２の態様に係る温水洗浄便座装置であって、前記温水タンクと、前記ノズルと、前記上流側給水配管と、前記下流側給水配管と、前記給水配管開閉部と、前記排水配管と、前記排水配管開閉部と、を収納する本体容器を備え、前記排水用通路は、前記本体容器の底部に形成されていることを特徴とする。
【００１６】
本発明の第３の態様によれば、温水洗浄便座装置は、排水配管から排出される水を本体容器の中を通過して排出するので、外部に露出することがないため、非常に衛生的である。
【００１７】
また、本発明の第４の態様は、第１から３の何れかの態様に係る温水洗浄便座装置であって、前記排水配管は、前記上流側給水配管と接続していることを特徴とする。
【００１８】
本発明の第４の態様によれば、温水洗浄便座装置は、洗浄水が温水タンクの底部側から供給されるような構成の場合に、排水配管での水抜きを容易に行うことができる。
【００１９】
また、本発明の第５の態様は、第４の態様に係る温水洗浄便座装置であって、前記上流側給水配管には、前記排水配管との接続部よりも上流側に逆止弁が取り付けられていることを特徴とする。
【００２０】
本発明の第５の態様によれば、温水洗浄便座装置は、温水タンクに残った水が、排水配管へ向かわずに給水配管を逆流したとしても、逆止弁より上流に流れることを防ぐことができる。
【図面の簡単な説明】
【００２１】
【図１】本発明の実施形態に係る温水洗浄便座装置を便器に取り付けた状態の斜視図である。
【図２】本発明の実施形態に係る温水洗浄便座装置の斜視図である。
【図３】本発明の実施形態に係る温水洗浄便座装置の内部構造を示しており、（ａ）は内部構造の斜視図であり、（ｂ）は内部構造の上側からの平面図である。
【図４】本発明の実施形態に係る温水洗浄便座装置における洗浄時の洗浄水の流れを示す経路概念図である。
【図５】本発明の実施形態に係る温水洗浄便座装置における温水タンクの水抜き作業での洗浄水の流れを示す経路概念図である。
【発明を実施するための形態】
【００２２】
以下、本発明の実施形態を、図面を用いて詳細に説明する。但し、以下に示す実施形態は、本発明の技術的思想を具体化するための温水洗浄便座装置を例示するものであって、本発明をこの温水洗浄便座装置に特定することを意図するものではない。本発明は特許請求の範囲に含まれるその他の実施形態のものにも適応し得るものである。
【００２３】
図１は、本発明の実施形態に係る温水洗浄便座が便器に取り付けられている状態の斜視図を示している。また、図２は、温水洗浄便座装置の斜視図を示している。温水洗浄便座装置１０は、洋式の便器１の上に設置されて使用される。なお、特に図示していないが、便器１は、便器内の汚物を流すための水を溜めるタンクを便器の後方に備えており、また、水道水が流れる配管とこのタンクとを接続する配管、更には便器内の汚水を流す配管と接続している。
【００２４】
温水洗浄便座装置１０は、便器１の上に位置する便座１１と、便座１１の上面を覆う開閉蓋１２と、便座１１の後方に位置する本体部２０と、を備えている。
【００２５】
便座１１は、開口１１ａを備えた樹脂製の環状部１１ｂと、環状部１１ｂの後部の軸支部１１ｃと、を備えている。便座１１は、環状部１１ｂの内部に図示しない便座ヒータを備えており、この便座ヒータの発熱によって、環状部１１ｂの表面を加熱できる構成となっている。また、便座１１は、軸支部１１ｃを介して環状部１１ｂを本体部２０に対して回動できる構成となっている。なお、便座１１の環状部１１ｂの形状は、所謂Ｏ字形状だけでなく、所謂Ｕ字形状のようなものでも構わない。
【００２６】
開閉蓋１２は、樹脂製の蓋本体部１２ａと、蓋本体部１２ａの後端部の軸受部１２ｂと、を備えている。開閉蓋１２は、図示しない本体部２０の軸部に軸受部１２ｂを介して取り付けられており、便座１１の開口１１ｃを開閉するために、蓋本体部１２ａを本体部２０に対して回動できる構成となっている。
【００２７】
次に、本体部２０の詳細について説明する。本体部２０ は、上ケース２１ａと下ケース２１ｂからなる本体容器である樹脂製のケース２１ の中に各種の機能構成を収納して形成されている。図３は、上ケース２１ａを外した本体部２０の内部構造を示しており、図３（ａ）は、本体部２０の内部構造の斜視図であり、図３（ｂ）は、本体部２０の内部構造の上側からの平面図である。また、図４は、本体部２０における洗浄時の洗浄水の流れを示す経路概念図である。
【００２８】
本体部２０は、下ケース２１ｂの上に、ノズルユニット２２と、給水配管２３と、温水タンク２４と、制御部２５と、脱臭ユニット２６等を配置して構成されている。
【００２９】
ノズルユニット２２ は、図４に示すように、おしり洗浄用ノズル２７と、ビデ洗浄用ノズル２８と、ステッピングモータ２９を含むノズル通路切替え部３０ と、を備えてい
る。
【００３０】
おしり洗浄用ノズル２７は、先端に上流側から流れてくる洗浄水を噴出する噴出孔３１を備えている。また、同様に、ビデ洗浄用ノズル２８は、先端に上流側から流れてくる洗浄水を噴出する噴出孔３２を備えている。
【００３１】
おしり洗浄用ノズル２７とビデ洗浄用ノズル２８は、温水タンク２４から流れてくる洗浄水の水圧によって便座１１側へ進出するようにするため、洗浄モードでない待機モードでは、図示していないコイルバネによって、それぞれノズルカバー３３、３４内に収容されている。そして、温水洗浄便座装置１０は、洗浄モードにおいて、おしり洗浄用ノズル２７或いはビデ洗浄用ノズル２８のどちらか一方が、洗浄水の水圧によってコイルバネを圧縮しつつ前方へ進出する仕組みになっている。
【００３２】
ノズル通路切替え部３０は、おしり洗浄用ノズル２７側の通路２７Ａと、ビデ洗浄用ノズル２８側の通路２８Ａとの分岐部３５に配置されている通路切替え弁３６を、ステッピングモータ２９の正転・逆転によって回転させることで、洗浄水の経路をおしり洗浄用ノズル２７側とビデ洗浄用ノズル２８側のどちらかに切替える。なお、図４は、ノズル通路切替え部３０が、洗浄水の流れる通路をおしり洗浄用ノズル２７側にしている状況とともに、おしり洗浄用ノズル２７が水圧によって前方へ進出している状態とを示している。
【００３３】
給水配管２３は、温水タンク２４の下流側に位置するノズルユニット２２へと繋がっている下流側給水配管２３Ａと、温水タンク２４の上流側に位置する上流側給水配管２３Ｂと、を備えている。
【００３４】
下流側給水配管２３Ａ は、温水タンク２４の内の洗浄水をノズルユニット２２のノズル通路切替え部３０へ供給するための配管である。
【００３５】
上流側給水配管２３Ｂ は、洗浄水として用いる水道水を供給する供給管３７と上流側で接続し、下流側を温水タンク２４の底部側へ接続している。上流側給水配管２３Ｂは、供給管３７ との接続箇所に水道水のゴミを除去するためのストレーナ３８を備えている。また、上流側給水配管２３Ｂは、ストレーナ３８の下流側に逆止弁３９を備えており、逆止弁３９の下流側に給水配管開閉部４０を備え、更に下流側に減圧弁４１を備えている。
【００３６】
逆止弁３９ は、急な断水時等に温水タンク２４の水が供給管３７側に逆流するのを防ぐために設けられている。通常時は、水道水の水圧で弁が押されているため、水道水は温水タンク側へ供給される。また、断水時等には温水タンク２４からの水圧で弁が押されることにより水路が閉じる。
【００３７】
給水配管開閉部４０ は、給水配管開閉手段である電磁弁４２ を備えている。そして、電磁弁４２の開閉が後述の制御部２５によって行われることで、温水洗浄便座装置１０は、給水配管開閉部４０において供給管３７からの洗浄水の供給と停止を行うことができる。なお、給水配管開閉手段は、電磁弁４２以外には、モータで駆動する弁のような電気的な駆動が可能な他の手段を用いも構わない。
【００３８】
減圧弁４１は、水道水の圧力によって開閉する弁であり、水道水の水圧が高過ぎる場合には弁を閉じ、温水洗浄便座装置１０へ過度の水圧がかかることを防止するために設けられている。
【００３９】
また、上流側給水配管２３Ｂは、給水配管開閉部４０や減圧弁４１よりも下流側におい
て後述する排水配管５０ と接続している。
【００４０】
温水タンク２４ は、樹脂製の箱状部材からなり、上流側給水配管２３Ｂから供給された洗浄水を加熱するための加熱手段であるシーズヒータ４３を内部に備えている。シーズヒータ４３ による加熱が後述の制御部２５によって行われることで、温水洗浄便座装置１０は、加熱手段によって洗浄水の温度調整が可能となる。
【００４１】
また、温水タンク２４は、温水タンク２４内の洗浄水の水量（水位）を検出するフロートスイッチ４４ からなる水量計と、温水タンク２４内の異常温度を検知するサーモスタット４５ からなる温度調整機とを、その上部に備えている。温水洗浄便座装置１０は、フロートスイッチ４４により、温水タンク２４内の洗浄水の水位を検知し、制御部２５を介して電磁弁４２の開閉制御を行い、温水タンク２４内の洗浄水の水位を所定の水位に制御する。また、温水洗浄便座装置１０は、サーモスタット４５により、温水タンク２４内の異常温度を検知して、制御部２５を介してシーズヒータ４３への通電を制御する。
【００４２】
更には、温水タンク２４は、温水タンク２４内の圧力が下がってくると温水タンク２４内に外気を導入するために負圧弁４６ａ と外気導入パイプ４６ｂ とを、その上部に備えている。また、温水タンク２４は、温水タンク２４内の洗浄水の温度を検知するためのサーミスタからなる温度センサを備えており（図示せず）、温水洗浄便座装置１０は、このサーミスタにより検出した温度を基に制御部２５を介してシーズヒータ４３への通電を制御する。
【００４３】
制御部２５は、ＣＰＵやメモリ等が備わった制御基板（図３において図示せず）等からなる。制御部２５は、上記した給水配管開閉手段や加熱手段等の構成部との間を有線により接続し各種の信号により制御を行う。また、制御部２５は、洗浄に関する各種の制御を、上ケース２１ａに設けられている操作パネル４７を介したユーザの操作（例えば、おしり洗浄とビデ洗浄の選択）に基づいて行う。なお、温水洗浄便座装置１０は、本体部２０に図示していない受光部を備えており、図示していない操作ボタンを備えたリモートコントロールによる操作信号を受光部で受信して制御部２５を操作することもできる。なお、制御部２５を駆動するための電源としては商用電源の他に蓄電池等を用いることもできる。
【００４４】
脱臭ユニット２６は、脱臭カセット２６ａと、脱臭ファン２６ｂと、ファンケース２６ｃと、脱臭フィルタ２６ｄと、を備えて構成されている。脱臭ファン２６ｂは、使用者が便座１１に着座すると動作し、脱臭フィルタ２６ｄを介して、便座１１側の空気をファンケース２６ｃへ吸い込む。そして、脱臭ファン２６ｂによって吸い込まれた空気は、脱臭カセット２６ａを通じて臭い成分を吸着・分解等して、外部へ排気される。
【００４５】
このような温水洗浄便座装置１０は、温水タンク２４内に洗浄水が残ったまま、長期間使用されないと、冬場には洗浄水が凍結し、温水タンク２４を破損させる虞があるため、温水タンク２４内の水抜きを行う必要がある。この温水タンク２４内の水抜き作業は、本実施形態の温水洗浄便座装置１０では、次のような方法で行われる。
【００４６】
まず、温水タンク２４内の水抜き作業は、上流側給水配管２３Ｂに接続する排水配管５０と、この排水配管５０の水路を開閉する排水配管開閉手段を備えた排水配管開閉部５１と、で行われる。
【００４７】
この排水配管５０は、上流側給水配管２３Ｂを途中で分岐し、一方の配管はそのまま上流側給水配管２３Ｂとして温水タンク２４へ接続し、他方の配管を水抜きのための配管（排水配管）として用いることで形成されている。そして、この排水配管５０には、排水配
管５０の水路を開閉する排水配管開閉手段を備えた排水配管開閉部５１が設けられている。
【００４８】
排水配管開閉部５１が備える排水配管開閉手段は、電気的な駆動が可能な開閉手段であり、本実施形態においては電磁弁５２からなる。そして、この電磁弁５２は、電圧の印加状態によって開放状態と閉鎖状態とをとる。具体的には、この電磁弁５２は、電磁弁５２に電圧が印加されている場合には閉鎖状態となり、電圧が印加されていない場合には解放状態となる、所謂ノーマルオープンの構成をとるものである。なお、電圧が印加された状態では、排水配管５０の水路を閉鎖状態とし、電圧が印加されていない状態では、排水配管５０の水路を開放状態とするものであれば、開閉手段は電磁弁５０以外のものでも構わない。
【００４９】
このような構成の温水洗浄便座装置１０は、ユーザが日常的に使用している場合であれば、ノズルユニット２２や温水タンク２４や制御部２５等、各構成を駆動する必要があるため電源と接続し、電力の供給を受けている。この時、温水洗浄便座装置１０は、排水配管開閉部５１の電磁弁５２にも電圧が印加されている状態としておき、電磁弁５２を閉鎖状態としている。したがって、洗浄水が排水配管５０を流れることはない（図４に示す状態）。
【００５０】
一方、長期間不在等の理由により、温水洗浄便座装置１０を長期間使用しないような場合であれば、温水洗浄便座装置１０が無駄な電力を消費しないよう、ユーザは、通常温水洗浄便座装置１０の電源を切ってしまう。このような状況では、従来ユーザ自身が温水タンク２４に残っている洗浄水をわざわざ取り除く必要があった。
【００５１】
しかしながら、本実施形態においては温水洗浄便座装置１０の電源が切られてしまうと、排水配管開閉部５１の電磁弁５２にも電圧が印加されない状態となるので、電磁弁５２が開放状態となり、温水タンク２４に残っている洗浄水が、図５に示すように排水配管５０を流れることになる。したがって、ユーザ自身が温水タンク２４の水抜き作業をわざわざ行わなくても、温水洗浄便座装置１０は温水タンク２４の水抜きを自動的に行ってしまう。
【００５２】
そして、本実施形態において、排水配管５０の排出先に排水用通路５３を設けている。この排水用通路５３は、便座１１側に向かって伸びており、便器１上に排水孔５４を備えている。したがって、温水タンク２４の水抜きが行われると、排水配管５０を流れる洗浄水は、排水用通路５３を通って、そのまま便器１内へ流れるため、温水洗浄便座装置１０によれば、ユーザは抜き取った洗浄水の処分を特に考えなくてもよい。
【００５３】
また、本実施形態において、排水用通路５３は下ケース２１ｂに設けられている。したがって、排水配管５０や排水用通路５３は、本体部２０の他の構成部材と同様に、ケース２１内に収容された状態となっているので、外部への露出がなく、ユーザが触れることも困難なため、温水洗浄便座装置１０は非常に衛生的である。
【００５４】
なお、本実施形態における温水洗浄便座装置１０では、温水洗浄便座装置１０に電力を供給する電源が断たれると、排水配管開閉部５１の電磁弁５２にも電圧が印加されない状態となるので、電磁弁５２が開放状態となり、温水タンク２４に残っている洗浄水が排水配管５０を流れることになるが、温水洗浄便座装置１０と電源とを断つ具体的な方法としては、例えば商用電源のコンセントに差し込まれているプラグをユーザが抜き取る場合であったり、温水洗浄便座装置１０に電源スイッチを設けておきユーザが電源スイッチを切る場合等がある。
【００５５】
また、電磁弁５２への電圧印加を、例えば、上ケース２１ａに設けられている操作パネル４７の操作や、リモートコントロールを用いた操作によって制御できるようにしておくことで、ユーザが温水タンク２４の水抜き作業だけを行いたいような場合に、温水洗浄便座装置１０によれば、ユーザは操作パネル４７やリモートコントロールの操作によって、簡単に水抜き作業だけを行うことができる。
【００５６】
なお、本実施形態においては、温水洗浄便座装置は、便器に取り付けて使うものであったが、温水洗浄便座装置と、汚水バケツを備えた便器とが一体となり、更には水道水を洗浄水に用いるのではなく、タンクに溜めた水を洗浄水として用いる所謂ポータブルトイレ装置にも適用可能である。
【００５７】
また、本実施形態においては、排水配管５０は温水タンク２４の上流側に位置する上流側給水配管２３Ｂと接続している。このような構成は、温水タンク２４への洗浄水の供給が、温水タンク２４の底部側から行われるような構成の温水洗浄便座装置においては、排水配管での水抜き作業を容易に行うことができるので、好ましい。一方、温水洗浄便座装置の構成によっては、排水配管５０を温水タンク２４の下流側に位置する下流側給水配管２３Ａと接続する構成としてもよい。
【符号の説明】
【００５８】
１    便器
１０    温水洗浄便座装置
１１    便座
２０    本体部
２３    給水配管
２３Ａ    下流側給水配管
２３Ｂ    上流側給水配管
２４    温水タンク
３９    逆止弁
４０    給水配管開閉部
４１    減圧弁
４２    電磁弁
５０    排水配管
５１    排水配管開閉部
５２    電磁弁
５３    排水用通路
５４    排水孔
【図１】
2014015725.tif 000003
【図２】
2014015725.tif 000004
【図３】
2014015725.tif 000005
【図４】
2014015725.tif 000006
【図５】
2014015725.tif 000007